(57)【要約】【課題】貯金箱等の容器内に積み重なった多数枚の多種硬貨の選別を、硬貨の直径に対応する横幅と硬貨の厚みに対応する天井高さとを制限した案内路と、硬貨ごとの選別穴とをもって、揺動のみにより可能となす。【解決手段】直径の大きさがＡ＜Ｂ＜Ｃ＜Ｄ＜Ｅの順で異なり、厚みがＡ＜Ｅ＜Ｃ＜Ｄ＜Ｂの順で異なる各種硬貨の選別穴を、最小径のＡ硬貨の選別穴を中央にして、その一側にＢ硬貨、Ｃ硬貨の選別穴、他側にＤ硬貨、Ｅ硬貨の選別穴の順に面内に並設し、それら選別穴の案内溝を、中央の選別穴と端部の選別穴とにわたり片側ずつ横幅を端部の選別穴の直径と同一にして、狭幅側を下側に上下交互に上面に凹設した本体と、本体上面との嵌合により、案内溝を片側ごとに最大厚の硬貨の移動が可能な天井高さの案内路に形成する裏面を有し、その裏面の端部の選別穴とその内側の選別穴との境界に臨む部位に、天井高さを部分的に低く制限する突起を有し、面内中央に硬貨の落ち口を有する硬貨受け兼用の蓋体とから硬貨選別器を構成する。【選択図】      図１
2004227243.tif 000002
【特許請求の範囲】
【請求項１】
直径の大きさがＡ＜Ｂ＜Ｃ＜Ｄ＜Ｅの順で異なり、厚みがＡ＜Ｅ＜Ｃ＜Ｄ＜Ｂの順で異なる各種硬貨の選別穴を、
最小径のＡ硬貨の選別穴を中央にして、その一側にＢ硬貨、Ｃ硬貨の選別穴、他側にＤ硬貨、Ｅ硬貨の選別穴の順に面内に並設し、
それら選別穴の案内溝を、中央の選別穴と端部の選別穴とにわたり片側ずつ横幅を端部の選別穴の直径と同一にして、狭幅側を下側に上下交互に上面に凹設した本体と、
本体上面との嵌合により、案内溝を片側ごとに最大厚の硬貨の移動が可能な天井高さの案内路に形成する裏面を有し、その裏面の端部の選別穴とその内側の選別穴との境界に臨む部位に、天井高さを部分的に低く制限する突起を有し、面内中央に硬貨の落ち口を有する硬貨受け兼用の蓋体とからなることを特徴とする硬貨選別器。
【発明の詳細な説明】
【０００１】
【発明の属する技術分野】
この発明は、直径及び厚みが異なる各種硬貨を揺動により選り分けて硬貨ごとに揃えて取り出すことができる硬貨選別器に関するものである。
【０００２】
【従来の技術】
従来では、直径及び厚みが異なる各種硬貨の落し口や受入孔を、大径のものを下位に小径のものを上位に傾斜して一線上に配置し、それらの落し口等ごとに硬貨を案内する溝を上下に重ね設けて、傾斜面を滑り落ちる各種硬貨の選別を行っている（例えば、特許文献１、特許文献２参照。）。
【０００３】
【特許文献１】
実公昭３０−２８０３号公報（第１頁、第１−３図）。
【特許文献２】
実公昭４３−１８４８号公報（第１頁、第１−３図）。
【０００４】
【発明が解決しようとする課題】
上記従来技術では、いずれも傾斜面を利用して、硬貨を硬貨ごとに設定した案内溝と落し口に導いて選別を行うことから、積み重なった多数枚の硬貨の選別を直接行うには不適当で、貯金箱内や財布内の硬貨の選別には不適当な課題を有する。
【０００５】
この発明は、上記従来技術の課題を解決するために考えられたものであって、その目的は、容器内の積み重なった多数枚の各種硬貨を、硬貨の直径に対応する横幅と硬貨の厚みに対応する天井高さとを制限した案内路と、硬貨ごとの選別穴とをもって、揺動のみにより選別可能となし、また貯金箱や財布にも利用できるようにコンパクトに形成することができる新たな硬貨選別器を提供することにある。
【０００６】
【課題を解決するための手段】
上記目的によるこの発明は、直径の大きさがＡ＜Ｂ＜Ｃ＜Ｄ＜Ｅの順で異なり、厚みがＡ＜Ｅ＜Ｃ＜Ｄ＜Ｂの順で異なる各種硬貨の選別穴を、最小径のＡ硬貨の選別穴を中央にして、その一側にＢ硬貨、Ｃ硬貨の選別穴、他側にＤ硬貨、Ｅ硬貨の選別穴の順に面内に並設し、それら選別穴の案内溝を、中央の選別穴と端部の選別穴とにわたり片側ずつ横幅を端部の選別穴の直径と同一にして、狭幅側を下側に上下交互に上面に凹設した本体と、本体上面との嵌合により、案内溝を片側ごとに最大厚の硬貨の移動が可能な天井高さの案内路に形成する裏面を有し、その裏面の端部の選別穴とその内側の選別穴との境界に臨む部位に、天井高さを部分的に低く制限する突起を有し、面内中央に硬貨の落ち口を有する硬貨受け兼用の蓋体とからなる、というものである。
【０００７】
【発明の実施の形態】
図は、直径の大きさが１円硬貨（Ａ）＜５０円硬貨（Ｂ）＜５円硬貨（Ｃ）＜１００円硬貨（Ｄ）＜１０円硬貨（Ｅ）の順で異なり、厚みが１円硬貨（Ａ）＜１０円硬貨（Ｅ）＜５円硬貨（Ｃ）＜１００円硬貨（Ｄ）＜５０円硬貨（Ｂ）の順で異なる５種の硬貨の選別器を例示するものである。
【０００８】
図中１は平面が長方形の函状の本体、２は本体１の上面に嵌着した硬貨受け兼用の蓋体、３は底枠板、４は選別穴ごとに抜き差し自在に設けた開閉板で、それらはプラスチックや軽金属等により形成したものからなる。
【０００９】
上記本体１の面内には、上記５種の硬貨の選別穴が、最小径の１円硬貨（Ａ）の選別穴１１を中央にして、その一側に５０円硬貨（Ｂ）、５円硬貨の選別穴１２，１３が、他側には１００（Ｄ）円硬貨、１０円硬貨（Ｅ）の選別穴１４，１５がその順に、それぞれ所要クリアランスを設けて並設してある。
【００１０】
また上面には、中央の選別穴１１と端部の選別穴１３，１５とにわたる案内溝１６，１７が、片側ずつ横幅を硬貨の直径に対応する端部の選別穴１３，１４の直径と同一にして、狭幅側の案内溝１６を下側に上下交互に設けてあり、その案内溝１６，１７により選別穴を連通すると共に、横幅により１円硬貨（Ａ）を除く他の硬貨の左右振り分けが行えるようにしてある。
【００１１】
上記蓋体２は、平面形状が本体と同一形で周囲に竪縁２１を有する板体からなり、その面内中央に本体中央の選別穴１１と重合位置する硬貨の落ち口２２が、最大径の１０円硬貨（Ｅ）より若干大径にして穿設してある。この落ち口２２の中央より片側の裏面は、案内溝１６側の本体上面に設けた凹所２０と嵌合する厚肉の凸面部２３に形成され、その凸面部２３の落ち口２２に沿う端面下縁を、半円形の凸縁２３ａに形成して、上側の案内溝１７の中央端部を円形穴に補完するようにしてある。
【００１２】
また蓋体２の裏面の端部の選別穴１３，１５と、その内側の選別穴１２，１４との境界に臨む部位には、選別穴の縁辺に沿って対面する鼓型の突起２４，２５がそれぞれ突設してある。２６は板体上面の中央部に凹設した硬貨の寄せ溝である。
【００１３】
このような蓋体２を、四隅のピンとピン穴とによる嵌合をもって本体上面に嵌合すると、蓋体２の落ち口２２が本体中央の１円硬貨（Ａ）の選別穴１１の上に重合位置する。また案内溝１６，１７は裏面により塞がれて、全体的に各側の最大厚の５０円硬貨（Ｂ）、１００円硬貨（Ｄ）の厚みに対応する天井高さで、端部の選別穴１３，１５と、その内側の選別穴１２，１４との境界の天井高さが、鼓型の上記突起２４，２５により５円硬貨（Ｃ）、１０円硬貨（Ｅ）の通過を可能とする高さに部分的に制限された案内路１８，１９となる。
【００１４】
上記本体１と蓋体２との嵌合により構成された硬貨選別器は、そのままで使用することができるが、図１に鎖線で示すように、硬貨投入口５ａを有する任意形態のケース５を、蓋体２に嵌着することにより、硬貨選別器付き貯金箱として利用することができる。
【００１５】
貯金箱内の硬貨の選別は、貯金箱を繰返し左右に揺するだけでよく、貯金箱の底部をなす蓋体２の上に積み重なって貯められた上記５種の硬貨の何れかが、その揺動により横移動して落ち口２２から、上下案内路１８，１９の重合により円穴に形成された中央の路端部内に落ち込む。最小径の１円硬貨（Ａ）を除く他の硬貨は、直径と厚みとによる一次的な選別により案内路１８，１９の何れかに収まり、揺動による反動で選別穴の方向に移動する。さらに硬貨は案内路１８，１９の天井高さを低く制限する突起２４，２５により、厚みによる二次的な選別が行われて、それぞれの選別穴に落ち込んで、同一硬貨ごとに分け揃えられる。選別された硬貨の取出しは開閉板４を引き抜いて貯金箱を持ち上げることにより容易に行い得る。
【００１６】
図７〜図９は、１円硬貨（Ａ）、１００硬貨（Ｄ）、１０円硬貨（Ｅ）の選別をそれぞれ示すものである。図７に示すように１円硬貨（Ａ）は、上下案内路１８，１９の重合により形成された中央の路端部の円穴よりも小径なので、落ち口２２からその直下の選別穴１１に落下する。また図のように下側の案内路１８の路肩１８ａに掛かっても径の大きさの相異から、揺動により外れて選別穴１１に落ちる。
【００１７】
１００円硬貨（Ｄ）では、直径及び厚みが上側の案内路１９の横幅及び天井高さに適合することから、図８に示すように、落ち口２２から下側の案内路１８まで落ち込まずに、案内路１９の中央の路端部に止まり、揺動による反動で案内路１９を移動する。しかし案内路先方の天井高さが突起２５により、１００円硬貨（Ｄ）の厚みよりも低く制限されていることから、その移動は突起２５に突き当たる内側の選別穴１４の位置までとなって、その選別穴１４に落ち込むようになる。
【００１８】
１０円硬貨（Ｅ）もまた、直径及び厚みが上側の案内路１９の横幅及び天井高さに適合することから、図９に示すように、落ち口２２から案内路１９の中央の路端部に止まり、揺動による反動で案内路１９を移動する。また厚みが１００円硬貨（Ｄ）よりも薄く、突起２５により低く制限された天井高さ内に収まることから、突起２５を通り抜けて端部の選別案１５の内壁に当たるところまで移動して、その選別穴１５に落ち込むようになる。
【００１９】
上記硬貨以外の５円硬貨（Ｃ）、５０円硬貨（Ｂ）は、図では省略するが、直径が上側の案内路１９の横幅よりも小さいことから、落ち口２２から下側の案内路１８まで落ち込み、揺動によりその案内路１８を移動して、上記と同様にそれぞれの選別穴１２，１３に落ち込むようになる。このようなことから、蓋体２の上面に積み重なった各種硬貨を、横に揺動するだけで硬貨ごとに簡単に選別して揃えることができるので、硬貨の選別に手数が掛からず、またコンパクトに形成できるので、貯金箱以外にも利用することができる。
【００２０】
図１０は、上記硬貨選別器を、がま口タイプの財布３０の内底部に、両側の支持板３１に回動自在に軸承して吊り設けた実施形態を示すものである。この場合の硬貨選別器は、側部から硬貨が取り出せるように、各選別穴１１〜１５は穴周縁を除く下側の穴壁半部を開放した樋状に形成してある。
【００２１】
支持板３１は上端を縁金３２に挟着して財布内に設けられ、その下端部の板面に設けた逆Ｌ状形（図は省略）の軸受溝孔３３に、硬貨選別器が両端に突設した軸部２７を着脱自在に挿入して、両支持板３１にわたり懸架してある。
【００２２】
このような財布３０でも、左右に繰返し揺するだけで、蓋体２の上の上記５種の硬貨の何れかが、その揺動により横移動して落ち口２２に落ち込み、上記貯金箱の場合と同様に、各硬貨における直径及び厚みの差とから選別が行われて、それぞれの選別穴１１〜１５に収まる。また選別された硬貨の取り出しは、選別穴１１〜１５の開放側が上向きとなる方向に約９０°回転すればよく、選別穴ごとに揃えられた硬貨を容易に摘み出すことができる。また硬貨選別器と財布の隙間に入り込んだ硬貨は、硬貨選別器を外して取り除くことができる。
【００２３】
【実施例】
2004227243.tif 000003
【００２４】
2004227243.tif 000004
【図面の簡単な説明】
【図１】この発明に係る硬貨選別器の１実施形態の縦断正面図である。
【図２】同上の平面図である。
【図３】選別対象となる硬貨の平面及び側面図である。
【図４】分解縦断正面図である。
【図５】本体の平面図である。
【図６】蓋体の裏面図である。
【図７】１円硬貨の選別説明図である。
【図８】１００円硬貨の選別説明図である。
【図９】１０円硬貨の選別説明図である。
【図１０】この発明の硬貨選別器を内装した財布の縦断正面図である。
【符号の説明】
１    本体
２    蓋体
３    底枠板
４    開閉板
１１，１２，１３，１４，１５    選別穴
１６    下側の案内溝
１７    上側の案内溝
１８    下側の案内路
１９    上側の案内路
２２    落ち口
２３    凸面部
２４，２５    突起
２７    軸部
３０    財布
３１    支持板
３２    縁金
３３    軸受溝孔
【図１】
2004227243.tif 000005
【図２】
2004227243.tif 000006
【図３】
2004227243.tif 000007
【図４】
2004227243.tif 000008
【図５】
2004227243.tif 000009
【図６】
2004227243.tif 000010
【図７】
2004227243.tif 000011
【図８】
2004227243.tif 000012
【図９】
2004227243.tif 000013
【図１０】
2004227243.tif 000014